(57)【要約】【課題】  大量生産される安価な家庭用エアコンの室内機を配管・配線・制御器設置工事費のコストアップすることなく大容量のビル用マルチエアコンに適用することができる空気調和機の分岐ユニットを得る。【解決手段】  容量可変型圧縮機２４を含む１台の室外機２２に対し複数の室内機２５が接続可能なビル用マルチ型空気調和機に用いられるものであって、冷媒流量調整器制御手段５、室内機通信手段８、固有アドレス識別手段６および室外機通信手段７を有する分岐ユニット制御器１０と、室外機側と単一または複数の室内機側とを中継する冷媒主管１と、冷媒主管と冷媒流量調整器を内蔵していない家庭用エアコンの室内機２５ａとを中継する冷媒枝管９と、冷媒枝管の途中に設けられ、分岐ユニット制御器１０の各手段を介して制御される冷媒流量調整器２とを備える。【選択図】  図１
2006071239.tif 000002
【特許請求の範囲】
【請求項１】
容量可変型圧縮機を含む１台の室外機に対し複数の室内機が接続可能なビル用マルチ型
空気調和機に用いられる空気調和機の分岐ユニットであって、
冷媒流量調整器制御手段、室内機通信手段、固有アドレス識別手段および室外機通信手段を有する分岐ユニット制御器と、
前記室外機側と単一または複数の室内機側とを中継する冷媒主管と、
前記冷媒主管と冷媒流量調整器を内蔵していない家庭用エアコンの室内機とを中継する冷媒枝管と、
前記冷媒枝管の途中に設けられ、前記分岐ユニット制御器の各手段を介して制御される冷媒流量調整器と、
を備えたことを特徴とする空気調和機の分岐ユニット。
【請求項２】
容量可変型圧縮機を含む１台の室外機に対し複数の室内機が接続可能なビル用マルチ型
空気調和機に用いられる空気調和機の分岐ユニットであって、
冷媒流量調整器制御手段、室内機通信手段、固有アドレス識別手段および室外機通信手段を有する分岐ユニット制御器と、
前記室外機側と単一または複数の室内機側とを中継する冷媒主管と、
前記冷媒主管と冷媒流量調整器を内蔵していない家庭用エアコンの室内機とを中継する冷媒枝管と、
前記冷媒枝管の途中に設けられ、前記分岐ユニット制御器の各手段を介して制御される冷媒流量調整器と、
前記冷媒流量調整器と冷媒枝管の間に装着され、前記分岐ユニットに接続された液管温度センサと、
を備えたことを特徴とする空気調和機の分岐ユニット。
【請求項３】
容量可変型圧縮機を含む１台の室外機に対し複数の室内機が接続可能なビル用マルチ型
空気調和機に用いられる空気調和機の分岐ユニットであって、
冷媒流量調整器制御手段、室内機通信手段、固有アドレス識別手段および室外機通信手段を有する分岐ユニット制御器と、
前記室外機側と単一または複数の室内機側とを中継する冷媒液管主管および冷媒ガス管主管と、
前記冷媒液管主管および冷媒ガス管主管と冷媒流量調整器を内蔵していない家庭用エアコンの室内機とを中継する冷媒液管枝管および冷媒ガス管枝管と、
前記冷媒液管枝管の途中に設けられ、前記分岐ユニット制御器の各手段を介して制御される冷媒流量調整器と、
前記冷媒流量調整器と冷媒液管枝管の間に装着され、前記分岐ユニットに接続された液管温度センサと、
前記冷媒ガス管枝管に装着され、前記分岐ユニットに接続されたガス管温度センサと、
を備えたことを特徴とする空気調和機の分岐ユニット。
【請求項４】
容量制御手段を備えた熱源機に対し電子式膨張弁を備えていない複数の家庭用エアコン
の室内機を接続可能とする冷暖房同時型マルチ空気調和機において、
前記熱源機と電子式膨張弁を備えていない複数の家庭用エアコンの室内機との間に設けられた気液分離ユニットを備え、
前記気液分離ユニットは、冷媒流路を選択する電磁弁と、冷媒の気体と液体を分離する気液分離器と、前記各家庭用エアコンの室内機に対応して設けられた複数の電子式膨張弁と、を備えていることを特徴とする冷暖房同時型マルチ空気調和機。
【発明の詳細な説明】
【技術分野】
【０００１】
この発明は、室外機と室内機の間に配置され、冷媒を分岐する空気調和機の分岐ユニットに関するものである。
【背景技術】
【０００２】
エアコンは、室外機と室内機が１対1で対応する家庭用エアコンと、容量可変型室外機とそれぞれに冷媒流量調整器や固有アドレス識別手段・集中管理伝送手段などを備えた複数の室内機を個別制御できるビル用マルチエアコンとに大別される。家庭用エアコンの室内機にはビル用マルチエアコンにあるような機能はなく、また大量に生産されることから低コストである。
従来は、上記２種類のエアコンの中間モデルである集中管理が不要な比較的小規模のマルチアエコンに、家庭用エアコンの室内機を流用する目的で、室外機と複数の家庭用エアコン室内機の間に分岐ユニットを接続していた。
従来の空気調和機の分岐ユニットは、複数の冷媒流量調整器を備え、容量可変型室外機と接続される冷媒主管と複数の室内機と個別に接続される複数の冷媒枝管とを備え、従来の分岐ユニットと複数の室内機の冷媒配管はそれぞれ独立した冷媒配管で接続されスター型配管を行なう。複数の分岐ユニットを用いた場合は、容量可変型室外機と複数の分岐ユニットはそれぞれ独立した冷媒配管で接続されスター型配管を行なう。
家庭用エアコンの室内機には固有アドレス識別手段はなく、１対１で独立して通信することで他との識別を不要としている。このため、従来の分岐ユニットは複数の室内機それぞれに対応する複数の室内機伝送手段を備え、複数の室内機とそれぞれ独立した伝送線で接続され通信するスター型配線を行なう。
家庭用エアコンの室内機には固有アドレス識別手段はなく、複数の室内機を集中管理する場合は、それぞれの家庭用エアコンの室内機へ固有アドレス識別手段と集中管理伝送手段とを備えた集中管理制御器を設置し、集中管理用伝送線を全室内機に配線する（例えば、特許文献１および非特許文献１参照。）。
【０００３】
【特許文献１】特開２００２−０１３７６３号公報
【非特許文献１】ダイキン工業株式会社カタログ  ＳＵＰＥＲ  ＭＵＬＴＩ  ＰＬＵＳ  ２００２年  資料番号  PC00-7B  ｐ.７、ｐ.１０
【発明の開示】
【発明が解決しようとする課題】
【０００４】
従来の空気調和機の分岐ユニットをより大規模なビル用マルチエアコンに適用しようとした場合、スター型配管、スター型配線は、冷媒主管および主配線から冷媒枝管および枝配線を分岐するバス型接続に比べ、冷媒配管および伝送線の総量が多くなり、材料費・工事費が増大するという問題点があった。また室外機と複数の分岐ユニット間も同様にスター接続であり、同じ問題が生じていた。
また集中管理を行なう場合は、集中管理制御器の設置および集中管理用伝送線の新たな設置工事が必要で、室内機と室外機の伝送線が集中管理用伝送線の機能も兼ねているビル用マルチエアコンに比べ高コストとなる問題があった。
また、非特許文献１記載のものでは、複数の室内機と１つのＢＰユニット（分岐ユニット）が室内機それぞれに分離した伝送線を兼ねる電力線で接続され、ＢＰユニット内にはそれぞれの室内機と通信する手段が設けられている。複数のＢＰユニットと１つの室外機の場合についても同様である。これは共通の伝送線に接続し、アドレスで区別するという概念がなく、伝送線を分離し、１対１通信していることによるもので、アドレスがないので、集中管理はこのままでは出来ない。集中管理する場合は、別途、室内機それぞれに伝送ユニットを接続し、それぞれの伝送ユニットを集中管理伝送線で接続する必要がある。
【０００５】
この発明は、上記のような課題を解決するためになされたもので、その目的は、固有アドレスも、冷媒流量調整器も備えず、大量生産される安価な家庭用エアコンの室内機を配管・配線・制御器設置工事費のコストアップをすることなく大容量のビル用マルチエアコンに適用することができる空気調和機の分岐ユニットを得るものである。
【課題を解決するための手段】
【０００６】
この発明に係る空気調和機の分岐ユニットは、容量可変型圧縮機を含む１台の室外機に
対し複数の室内機が接続可能なビル用マルチ型空気調和機に用いられるものであって、冷
媒流量調整器制御手段、室内機通信手段、固有アドレス識別手段および室外機通信手段を
有する分岐ユニット制御器と、室外機側と単一または複数の室内機側とを中継する冷媒主
管と、冷媒主管と冷媒流量調整器を内蔵していない家庭用エアコンの室内機とを中継する
冷媒枝管と、冷媒枝管の途中に設けられ、分岐ユニット制御器の各手段を介して制御され
る冷媒流量調整器とを備えたものである。
【発明の効果】
【０００７】
この発明の空気調和機の分岐ユニットは、冷媒流量調整器制御手段、室内機通信手段、
固有アドレス識別手段および室外機通信手段を有する分岐ユニット制御器と、室外機側と
単一または複数の室内機側とを中継する冷媒主管と、冷媒主管と冷媒流量調整器を内蔵し
ていない家庭用エアコンの室内機とを中継する冷媒枝管と、冷媒枝管の途中に設けられ、
分岐ユニット制御器の各手段を介して制御される冷媒流量調整器とを備えるように構成し
たので、冷媒配管および伝送線のバス型接続が可能で、コストアップすることなく安価な
家庭用エアコンの室内機を大容量のビル用マルチエアコンに適用できるという効果を有す
る。
また、この発明の空気調和機の分岐ユニットは、冷媒主管と冷媒枝管とからなる従来の分岐ユニットと同一構成としたので、従来の分岐ユニットと溶接箇所は同一の３箇所でありコストアップがないという効果を有する。
また、室内機と分岐ユニットを接続し、分岐ユニットはアドレスがあるので、渡り配線をするだけで良く、蛸足配線に比べて配線費用・工事費用が安価になる。またアドレスを持っているので、集中管理する場合、伝送ユニットを追加することなく、それぞれの分岐ユニットを渡り配線するだけで良い。
【発明を実施するための最良の形態】
【０００８】
実施の形態１．
図１はこの発明の実施の形態１における空気調和機の分岐ユニットを示すブロック図、図２はこの発明の実施の形態１における空気調和機の分岐ユニットを適用したビル用マルチエアコンを示すシステム構成図、図３は室外機の情報を室外機へ伝える動作フローを示すフローチャート、図４は分岐ユニットが冷媒流量調整器を制御する動作フローを示すフローチャートである。
図１において、空気調和機の分岐ユニット３は、冷媒主管１と冷媒枝管９がＴ字型に接続され、この接続部に近い冷媒枝管９の途中には冷媒流量調整器２が設けられている。分岐ユニット３内に設けられた分岐ユニット制御器１０は、冷媒流量調整器制御手段５、固有アドレス識別手段６、室外機通信手段７および室内機通信手段８から構成され、冷媒流量調整器制御手段５は冷媒流量調整器制御線４により冷媒流量調整器２と接続されている。以上のように、冷媒主管１と、冷媒枝管９と、冷媒流量調整器２と、分岐ユニット制御器１０とは分岐ユニット３内に収められている。
この発明による空気調和機の分岐ユニット３を用いたビル用マルチエアコンのシステム構成例を図２により説明する。図２において、２２は１台の室外機、２５ａ〜２５ｃは複数台、例えば３台の室内機である。室外機２２内に設けられた容量可変型圧縮機２４は、室外機２２内に設けられた室外熱交換器２３、冷媒主管１、冷媒枝管９ａ、９ｂ、冷媒流量調整器２ａ〜２ｃ、室内機２５ａ〜２５ｃ内に設けられた室内熱交換器２６ａ〜２６ｃと接続され、冷媒が循環する。ここで、冷媒主管１から冷媒枝管９ａへの分岐は、この発明の冷媒流量調整器２ａを内蔵した分岐ユニット３により行なわれ、また冷媒主管１から冷媒枝管９ｂへの分岐は冷媒配管のみで構成された従来型の分岐ユニット２０にて行なわれる。この発明の分岐ユニット３で分岐された冷媒枝管９ａに接続される室内機２５ａは、冷媒流量調整器２を内蔵していない家庭用エアコンの室内機が用いられる。また従来型の分岐ユニット２０で分岐された冷媒枝管９ｂに接続される室内機２５ｂは、冷媒流量調整器２ｂを内蔵しているビル用マルチエアコンの室内機が用いられる。更にまた冷媒主管１により直接接続される室内機２５ｃは、冷媒流量調整器２ｃを内蔵しているビル用マルチエアコンの室内機が用いられる。
室外機１、分岐ユニット３、室内機２５ｂ、２５ｃは、室外伝送線２１によりそれぞれ接続されている。また室内伝送線２９は室内機２５ａと分岐ユニット３とを接続している。また各室内機２５ａ〜２５ｃと各リモコン２８ａ〜２８ｃはリモコン線２７ａ〜２７ｃにより接続されている。
【０００９】
次に、動作について説明する。
冷媒流量調整器２ａを内蔵していない家庭用エアコンの室内機２５ａとこの発明の分岐ユニット３において、リモコン２８ａにより運転操作すると、その信号はリモコン線２７ａを介して家庭用エアコンの室内機２５ａへ伝達される。この家庭用エアコンの室内機２５ａは室内機の情報を室内伝送線２９を介して分岐ユニット３へ伝達する。この分岐ユニット３では、室内機通信手段８により受信し、固有アドレス識別手段６による家庭用エアコンの室内機２５ａに相当する固有アドレスと上記室内機の情報とを室外機通信手段７、室外伝送線２１を介して室外機２２へ伝達する。
また、冷媒流量調整器２ｂを内蔵しているビル用マルチエアコンの室内機２５ｂにおいて、リモコン２８ｂにより運転操作すると、その信号はリモコン線２７ｂを介してビル用マルチエアコンの室内機２５ｂへ伝達される。図示しない固有アドレス識別手段によりビル用マルチエアコンの室内機２５ｂに相当する固有アドレスと上記室内機の状態を図示しない室外機通信手段、室外伝送線２１を介して室外機２２へ伝達する。
また、冷媒流量調整器２ｃを内蔵しているビル用マルチエアコンの室内機２５ｃにおいて、リモコン２８ｃにより運転操作すると、その信号はリモコン線２７ｃを介してビル用マルチエアコンの室内機２５ｃへ伝達される。図示しない固有アドレス識別手段によりビル用マルチエアコンの室内機２５ｃに相当する固有アドレスと上記室内機の状態を図示しない室外機通信手段、室外伝送線２１を介して室外機２２へ伝達する。
上記室内機２５ａ〜２５ｃの情報を受信した室外機２２は、室内機の情報に従い、最適な能力となるよう容量可変型圧縮機２４の容量を決定し運転する。そして、室外機２２の情報に室内機毎の固有アドレスを付加して、室外伝送線２１へ送信する。
分岐ユニット３は固有アドレス識別手段６と一致した固有アドレスが付加された室外機２２からの信号を選択受信する。室外機２２の情報と家庭用エアコンの室内機２５ａの情報とにより、冷媒流量調整器制御手段５、冷媒流量調整器制御線４を介して冷媒流量調整器２ａを制御する。
ビル用マルチエアコンの室内機２５ｂは図示しない固有アドレス識別手段と一致した固有アドレスが付加された室外機２２からの信号を選択受信する。室外機２２の情報とビル用マルチエアコンの室内機２５ｂの情報とにより、図示しない冷媒流量調整器制御手段、冷媒流量調整器制御線を介して冷媒流量調整器２ｂを制御する。
ビル用マルチエアコンの室内機２５ｃは図示しない固有アドレス識別手段と一致した固有アドレスが付加された室外機２２からの信号を選択受信する。室外機２２の情報とビル用マルチエアコンの室内機２５ｃの情報とにより、図示しない冷媒流量調整器制御手段、冷媒流量調整器制御線を介して冷媒流量調整器２ｃを制御する。
上記動作を図３、図４に示す動作フローチャートに従い説明する。
図３は室内機の情報を室外機へ伝えるフローチャートである。リモコンがリモコン信号を送信するステップＳ１０１と、室内機がリモコン信号を受信するステップＳ１０２と、室内機が室内機情報を送信するステップＳ１０３と、分岐ユニット３が室内機情報を受信するステップＳ１０４と、分岐ユニット３が室内機情報に固有アドレスを付加して送信するステップＳ１０５と、室外機が室内機情報を受信するステップＳ１０６とからなる。
図４は分岐ユニット３が冷媒流量調整器２を制御するフローチャートである。室内機が室内機情報を送信するステップＳ２０１と、分岐ユニット３が室内機情報を受信するステップＳ２０２と、室外機が室外機情報を送信するステップＳ２０３と、分岐ユニット３が室外機情報を受信するステップＳ２０４と、分岐ユニット３が冷媒流量調整器２を制御するステップＳ２０５とからなる。
【００１０】
以上のように、この発明の空気調和機の分岐ユニット３は、冷媒流量調整器制御手段５、室内機通信手段８、固有アドレス識別手段６および室外機通信手段７を有する分岐ユニット制御器１０と、冷媒流量調整器２と、室外機側および単一または複数の室内機側を中継する冷媒主管１と、冷媒主管および単一または複数の室内機とを冷媒流量調整器２を介して中継する冷媒枝管９とを備えるように構成したので、冷媒配管および伝送線のバス型接続が可能で、コストアップすることなく安価な家庭用エアコンの室内機を大容量のビル用マルチエアコンに適用できるという効果を有する。
また、この発明の空気調和機の分岐ユニットは、冷媒主管と冷媒枝管とからなる従来の分岐ユニットと同一構成としたので、従来の分岐ユニットと溶接箇所は同一の３箇所でありコストアップがないという効果を有する。
【００１１】
実施の形態２．
図５はこの発明の実施の形態２における空気調和機の分岐ユニットを示すブロック図、図６はこの発明の実施の形態２における空気調和機の分岐ユニットを適用したビル用マルチエアコンの概略構成を示すシステム構成図である。
図５において、図１の実施の形態１と同一又は相当部分には同一符号を付して説明を省略し、相違する部分についてのみ説明する。１００は冷媒流量調整器（例えば、電子式膨張弁）２と冷媒液管枝管９の間に装着された液管温度センサで、分岐ユニット３に内蔵され、分岐ユニット制御器１０に接続されている。１０１は冷媒ガス管枝管に装着されるガス管温度センサで、分岐ユニット３外に設けられ、分岐ユニット制御器１０に接続されている。以上のように、冷媒液管主管１と、冷媒液管枝管９と、冷媒流量調整器２と、分岐ユニット制御器１０と、液管温度センサ１００は分岐ユニット３内に収められており、ガス管温度センサ１０１は分岐ユニット３外に設けられている。
図６において、２２は室外機、２５ａは分岐ユニット３で分岐された冷媒液管枝管９に接続される冷媒流量調整器２を内蔵していない家庭用エアコンの室内機である。分岐ユニット３内の液管温度センサ（図示せず）は冷媒液管枝管に装着され、分岐ユニット３外のガス管温度センサ１０１は室内機２５ａから戻る冷媒ガス管枝管に装着されている。
【００１２】
この実施の形態２によれば、分岐ユニット３に液管温度センサ１００を内蔵し、かつ分岐ユニット内３の分岐ユニット制御器１０にガス管温度センサ１０１を接続しているので、新たな分岐ユニットの工事は不要であり、工事ミスを防止することができる。
【００１３】
実施の形態３．
図７はこの発明の実施の形態３における空気調和機の分岐ユニットを示すブロック図、図８はこの発明の実施の形態３における空気調和機の分岐ユニットを適用したビル用マルチエアコンの概略構成を示すシステム構成図である。
図７において、図１の実施の形態１と同一又は相当部分には同一符号を付して説明を省略し、相違する部分についてのみ説明する。
この実施の形態３における分岐ユニット３は、冷媒液管主管１と、冷媒ガス管主管１０２と、冷媒液管枝管９と、冷媒ガス管枝管１０３とを備えている。１００は冷媒流量調整器（例えば、電子式膨張弁）２と冷媒液管枝管９の間に装着された液管温度センサで、分岐ユニット３に内蔵され、分岐ユニット制御器１０に接続されている。１０１は冷媒ガス管枝管１０３に装着されたガス管温度センサで、分岐ユニット３に内蔵され、分岐ユニット制御器１０に接続されている。以上のように、冷媒液管主管１と、冷媒ガス管主管１０２と、冷媒液管枝管９と、冷媒ガス管枝管１０３と、冷媒流量調整器２と、分岐ユニット制御器１０と、液管温度センサ１００と、ガス管温度センサ１０１は分岐ユニット３内に収められている。
図８において、２２は室外機、２５ａは分岐ユニット３で分岐された冷媒液管枝管９および冷媒ガス管枝管１０３に接続される冷媒流量調整器２を内蔵していない家庭用エアコンの室内機である。分岐ユニット３内の液管温度センサ（図示せず）は冷媒液管枝管９に装着され、分岐ユニット３内のガス管温度センサ（図示せず）は冷媒ガス管枝管１０３に装着されている。
【００１４】
この実施の形態３によれば、分岐ユニット３に液管温度センサ１００およびガス管温度センサ１０１を内蔵しているので、温度センサの現地工事が不要であり、工事ミスがなくなり、工事費用が不要となる。
【００１５】
実施の形態４．
図９はこの発明の実施の形態４における空気調和機の分岐ユニット（気液分離ユニット）を適用したビル用マルチエアコンの概略構成を示すシステム構成図である。
図９において、２２は容量制御手段を備えた熱源機としての室外機、２３は室外熱交換器、２４は容量可変型圧縮機、２５ａは電子式膨張弁を備えていない複数の家庭用エアコンの室内機、２００は室外機２２と複数の家庭用エアコンの室内機２５ａとの間に設けられたこの発明の分岐ユニットとしての気液分離ユニットである。この気液分離ユニット２００は、冷媒流路を選択する電磁弁２０１と、冷媒の気体と液体を分離する気液分離器２０２と、各室内機２５ａに対応して設けられた複数の電子式膨張弁２とを内蔵している。
【００１６】
この実施の形態４によれば、分岐ユニットとしての気液分離ユニットに、複数の家庭用エアコンの室内機に対応して電子膨張弁が内蔵されているので、工事を増加させることなく、安価な家庭用エアコンの室内機を使用できる利点がある。
【図面の簡単な説明】
【００１７】
【図１】この発明の実施の形態１における空気調和機の分岐ユニットを示すブロック図である。
【図２】この発明の実施の形態１における空気調和機の分岐ユニットを適用したビル用マルチエアコンを示すシステム構成図である。
【図３】この発明の実施の形態１における室外機の情報を室外機へ伝える動作フローを示すフローチャートである。
【図４】この発明の実施の形態１における分岐ユニットが冷媒流量調整器を制御する動作フローを示すフローチャートである。
【図５】この発明の実施の形態２における空気調和機の分岐ユニットを示すブロック図である。
【図６】この発明の実施の形態２における空気調和機の分岐ユニットを適用したビル用マルチエアコンの概略構成を示すシステム構成図である。
【図７】この発明の実施の形態３における空気調和機の分岐ユニットを示すブロック図である。
【図８】この発明の実施の形態３における空気調和機の分岐ユニットを適用したビル用マルチエアコンの概略構成を示すシステム構成図である。
【図９】この発明の実施の形態４における空気調和機の分岐ユニット（気液分離ユニット）を適用したビル用マルチエアコンの概略構成を示すシステム構成図である。
【符号の説明】
【００１８】
１  冷媒主管（冷媒液管主管）
２、２ａ〜２ｃ  冷媒流量調整器
３  分岐ユニット
４  冷媒流量調整器制御線
５  冷媒流量調整器制御手段
６  固有アドレス識別手段
７  室外機通信手段
８  室内機通信手段
９、９ａ、９ｂ  冷媒枝管（冷媒液管枝管）
１０  分岐ユニット制御器
２０  従来型分岐ユニット
２１  室外伝送線
２２  室外機
２３  室外熱交換器
２４  容量可変型圧縮機
２５ａ  家庭用エアコンの室内機
２５ｂ、２５ｃ  ビル用マルチエアコンの室内機
２６ａ〜２６ｃ  室内熱交換器
２７ａ〜２７ｃ  リモコン線
２８ａ〜２８ｃ  リモコン
２９  室内伝送線
１００  液管温度センサ
１０１  ガス管温度センサ
１０２  冷媒ガス管主管
１０３  冷媒ガス管枝管
２００  気液分離ユニット（分岐ユニット）
２０１  電磁弁
２０２  気液分離器
【図１】
2006071239.tif 000003
【図２】
2006071239.tif 000004
【図３】
2006071239.tif 000005
【図４】
2006071239.tif 000006
【図５】
2006071239.tif 000007
【図６】
2006071239.tif 000008
【図７】
2006071239.tif 000009
【図８】
2006071239.tif 000010
【図９】
2006071239.tif 000011